(57)【要約】      （修正有）【課題】ハンマーなどで叩いても上端部（頭部）が割れにくく、潰れにくいシート材固定具を提供する。【解決手段】シート材固定具１は、園芸用又は農業用のシート材を固定する長尺状の固定部材２と、その上端部に被せる装着部材３とを備えたことを特徴とする。固定部材２は木材又は竹などから形成し、装着部材３は生分解性樹脂などから形成することができる。固定部材２は下端部側を二股状に形成することが好ましく、また、装着部材３は、上端面を水平面状に形成することが好ましい。【選択図】図１
0003199595.tif 000002
【実用新案登録請求の範囲】
【請求項１】
園芸用又は農業用のシート材を固定する長尺状の固定部材の上端部に装着する装着部材。
【請求項２】
園芸用又は農業用のシート材を固定する下端部側を二股状に形成した固定部材と、固定部材の上端部に装着する装着部材とを備えたシート材固定具。
【請求項３】
前記固定部材は、木材又は竹から形成した請求項２に記載のシート材固定具。
【請求項４】
前記装着部材は、生分解性樹脂から形成した請求項２又は３に記載のシート材固定具。
【請求項５】
前記装着部材は、上端面を水平面状に形成した請求項２〜４のいずれかに記載のシート材固定具。
【考案の詳細な説明】
【技術分野】
【０００１】
本考案は、農場などにおいて園芸用又は農業用シート材を固定するために用いるシート材固定具に関する。
【背景技術】
【０００２】
作物を栽培するにあたり、土壌の乾燥や雑草の発生などを防ぐため、ビニルなどからなる園芸用又は農業用シート材で地面を覆うことが行われている。このシート材は風などで吹き飛ばされないように、例えば、棒状のシート材固定具をシート材の縁部に突き刺し地面に打ち込んで固定されている。
【０００３】
このようなシート材固定具の従来例としては、棒状の本体の一端に尖頭部を、他端にシート状物の押さえ部を設け、本体の押さえ部側から尖頭部側に向けてピン穴を穿設し、このピン穴に本体の軸方向に移動自在なピン体を挿通するとともに、複数個の抜け止め羽根をその下端部において本体に枢支し、かつ、抜け止め羽根の一部をピン穴内に突出させることにより、尖頭部に向かって移動するピン体により抜け止め羽根が押し広げられるようにしたことを特徴とするシート状物の固定具が開発されており、打ち込んだとき強力な保持力が得られるようにしてある（下記特許文献１参照）。
【０００４】
また、他の例としては、シート状物を地面に押さえて固定するシート状物押え具であって、該シート状物を地面に押える押え板と該押え板を地面に押圧する押えピン部材とを具え、該押え板と該押えピン部材は別体に形成されており、該押え板には、所要間隔を置いて２箇所のピン挿通孔部が設けられる一方、前記押えピン部材は、該両ピン挿通孔部に挿通されて地面に押し込まれる２本のピン体の上部相互が、手で握るための握り部を有する繋ぎ片で連結されると共に、前記押え板は、前記２本のピン体が前記ピン挿通孔部に挿通された状態で前記両ピン体に案内されて上昇でき、該押え板が、前記押えピン部材に設けられている規制部に当接して最上昇位置を呈した状態で、該規制部の間隙保持作用によって、手先を挿入させる挿入間隙を該押え板と前記握り部との間に形成できることを特徴とするシート状物押え具が開発されており、シート状物を確実に押えて固定するとともに、この押え状態を解除できるようにしてある（下記特許文献２参照）。
【０００５】
【特許文献１】特開平７−１０３２１８号公報
【特許文献２】特開２０１４−９７０６４号公報
【考案の概要】
【考案が解決しようとする課題】
【０００６】
シート材固定具は地面に打ち込む際にハンマーなどで上端部（頭部）を叩いて打ち込むことがあるが、ハンマーなどで叩くと上端部が割れてしまうことや潰れてしまうことがあった。
また、農場などが広大になると使用するシート材固定具の数も多くなり、使用後に一つ一つ引き抜き回収する作業は手間になる。そのため、シート材固定具を木材などから形成して自然に腐敗し、消滅してくれれば土壌を汚染することがなく、そのまま放置することもできる。しかし、木材から形成したシート材固定具はハンマーなどで上端部を叩くと金属や樹脂のシート材固定具と比べて割れたり、潰れたりしやすいものであった。
【０００７】
そこで、本考案の目的は、ハンマーなどで叩いても上端部（頭部）が割れたり、潰れたりしにくいシート材固定具を提供することにある。
【課題を解決するための手段】
【０００８】
本考案の一実施形態は、園芸用又は農業用のシート材を固定する長尺状の固定部材の上端部に装着する装着部材である。
【０００９】
このような装着部材を固定部材に被せることにより、上端部（頭部）を保護でき、ハンマーなどで叩いても割れたり、潰れたりしにくくなる。
【００１０】
本考案の他の実施形態は、園芸用又は農業用のシート材を固定する下端部側を二股状に形成した固定部材と、固定部材の上端部に装着する装着部材とを備えたシート材固定具である。
【００１１】
このようなシート材固定具は、装着部材が固定部材の上端部に被せてあるので上端部（頭部）が保護され、ハンマーなどで叩いても割れたり、潰れたりしにくくなる。また、下端部側を二股状にしてあるため、シート材を、地面、特に、傾斜面に確実に固定できる。
【００１２】
上記シート材固定具において、前記固定部材は木材又は竹から形成することができる。木材又は竹から形成しても装着部材が被せてあるためハンマーなどで叩いても割れたり、潰れたりしにくくなる。
【００１３】
上記シート材固定具において、前記装着部材は生分解性樹脂から形成することができる。生分解性樹脂は土壌で分解されるため、使用後に放置しても土壌を汚染することがない。
【００１４】
上記シート材固定具において、前記装着部材は上端面を水平面状に形成することができる。上端面が水平面状であるためハンマーなどで叩きやすくなる。
【図面の簡単な説明】
【００１５】
【図１】本考案の一実施形態のシート材固定具を示した斜視図である。
【図２】図１のシート材固定具の上端部付近の拡大断面図である。
【図３】図１のシート材固定具の装着部材を固定部材から外した状態を示した斜視図である。
【図４】装着部材の一変形例を示したシート材固定具の上端部付近の拡大断面図である。
【図５】図１のシート材固定具の一使用例を示した図である。
【図６】図１のシート材固定具の他の使用例を示した図である。
【図７】図６の使用例の手順を示した図である。
【考案を実施するための形態】
【００１６】
以下、本考案の一実施形態のシート材固定具について説明する。
【００１７】
本考案の一実施形態のシート材固定具１は、図１〜図３に示すように、固定部材２と装着部材３とを備えてなる。
【００１８】
固定部材２は、図１〜図３に示すように、下端部側を地面に打ち込む打ち込み部２ａとし、上端部側を装着部材３が装着させられる被装着部２ｂとしてある。
固定部材２は、長尺状の部材から形成してあり、下端部側を、幅中間付近に切れ込みを入れて二股状にした打ち込み部２ａとしてある。長さは、特に限定するものではないが、５ｃｍ〜２０ｃｍ程とすることができる。
本実施形態では、固定部材２は、図３に示すように、長尺直方体状としてあり、打ち込み部２ａの各先端部は円錐形の先鋭状に形成してある。
【００１９】
被装着部２ｂは、装着部材３を被せて装着できるように形成してあり、図２又は図３に示すように、各面を平面状とした直方柱状に形成してある。
【００２０】
固定部材２は、特に限定するものではないが、杉、檜などの木材、竹、鉄などの金属、ポリ塩化ビニル、ポリ乳酸などの樹脂などの材質から形成することができる。なかでも、土壌中で分解される材質、木材、竹やポリ乳酸などの生分解性樹脂で形成することが好ましい。
【００２１】
装着部材３は、図２又は図３に示すように、固定部材２の上端部の被装着部２ｂに被せることができるキャップ状に形成してある。
装着部材３は、下方を開口部とした直方体箱状に形成してあり、固定部材２の被装着部２ａに略隙間なく嵌め合せることができる装着部３ａを有し、被装着部２ａに着脱自在としてある。
装着部材３は、固定部材２の上端部の被装着部２ｂに嵌め合わせて、固定部材２の上端部を覆うことができれば、どのような形状にしてもよい。
装着部材３の上端面３ｂは、図２に示すように、水平面状に形成することが好ましく、このようにすることにより、ハンマーなどで叩きやすくなる。
装着部材の３の肉厚は、１ｍｍ〜４ｍｍ、特に２ｍｍ〜３ｍｍにするのが好ましい。
【００２２】
装着部材３は、特に限定するものではないが、固定部材２の上端部を保護するため適度な硬さを有する材質で形成するのが好ましく、例えば、ポリ乳酸などからなる生分解性樹脂で形成することが好ましい。生分解性樹脂で形成することにより、適度な硬さがあるため固定部材２の上端部を保護することができ、また、土壌中で分解するため土壌を汚染することがない。
【００２３】
図４には、装着部材３の一変形例（装着部材３１）が示されており、装着部材３１は上端面３１ｂに孔を有する筒状に形成してある。装着部材３１は、被装着部２ｂの周囲を覆うように装着し、上端面３１ｂが被装着部２ｂの上端面２ｃよりも下方に位置するように嵌め合せ可能としてある。このようにしても固定部材２の上端部が打ち込む際に割れにくくなり保護することができる。
【００２４】
シート材固定具１は、例えば、図５に示すように、農場において畝４などを覆う、農業用又は園芸用のシート材５に打ち込み部２ａを突き刺して使用することができるが、特に、図６に示すように、傾斜面４ａを覆うシート材５ａを固定するのに適する。
傾斜面を覆うシート材を固定する場合、例えば、縁部に沿い、長孔状やスリット状の孔部６を設けたシート材５ａで傾斜面４ａを覆う。図７（Ａ）に示すように、シート材固定具１の打ち込み部２ａの片方を孔部６に挿入し、図７（Ｂ）に示すように、シート材固定具１を回転（図では一回転）させ、シート材５ａの縁部を巻き付けながら絡める。この状態で、シート材固定具１をハンマーなどで傾斜面４ａに打ち込むことによりシート材５ａを固定することができる。
傾斜面４ａを覆うシート材５ａの縁部に石などの重しを置いて固定した場合は、重しが転がり落ち、シート材５ａが捲れてしまうことがあるが、シート材固定具１を用いて固定した場合は、このようなことを防ぐことができる。また、図７に示した手順で固定することにより、シート材固定具１が傾斜面４ａから抜けることを防ぐことができる。
【００２５】
シート材固定具１は、装着部材３で固定部材２の上端部（頭部）を保護してあるため、ハンマーなどで叩いても割れにくいものである。
固定部材２を木材、竹や生分解性樹脂などから形成し、装着部材３を生分解性樹脂などから形成すれば、シート材固定具１は土壌中で分解されるため土壌を汚染することがなく、使用後は放置し、使い捨てにすることもできる。
シート材固定具１を回収し、装着部材３を、固定部材２から取り外して他の固定部材２に被せることもできるので、装着部材３を再利用することもできる。
【００２６】
上記実施形態の構成態様は、本考案を限定するものとして挙げたものではなく、技術目的を共通にするかぎり変更は可能であり、本考案はそのような変更を含むものである。
【符号の説明】
【００２７】
１シート材固定具
２固定部材
２ａ打ち込み部
２ｂ被装着部
２ｃ上端面
３，３１装着部材
３ａ装着部
３ｂ，３１ｂ上端面
４畝
４ａ傾斜面
５，５ａシート材
６孔部
【図１】
0003199595.tif 000003
【図２】
0003199595.tif 000004
【図３】
0003199595.tif 000005
【図４】
0003199595.tif 000006
【図５】
0003199595.tif 000007
【図６】
0003199595.tif 000008
【図７】
0003199595.tif 000009
【手続補正書】
【提出日】平成27年6月29日(2015.6.29)
【手続補正１】
【補正対象書類名】実用新案登録請求の範囲
【補正対象項目名】全文
【補正方法】変更
【補正の内容】
【実用新案登録請求の範囲】
【請求項１】
園芸用又は農業用のシート材を固定する長尺状の固定部材の上端部に装着でき、該上端部の周囲を覆う筒状又は該上端部に被せるキャップ状に形成した装着部材。
【請求項２】
園芸用又は農業用のシート材を固定する下端部側を二股状に形成した固定部材と、固定部材の上端部に装着でき、該上端部の周囲を覆う筒状又は該上端部に被せるキャップ状に形成した装着部材とを備えたシート材固定具。
【請求項３】
前記固定部材は、木材又は竹から形成した請求項２に記載のシート材固定具。
【請求項４】
前記装着部材は、生分解性樹脂から形成した請求項２又は３に記載のシート材固定具。
【請求項５】
前記装着部材は、上端面を水平面状に形成した請求項２〜４のいずれかに記載のシート材固定具。
【手続補正２】
【補正対象書類名】明細書
【補正対象項目名】０００８
【補正方法】変更
【補正の内容】
【０００８】
本考案の一実施形態は、園芸用又は農業用のシート材を固定する長尺状の固定部材の上端部に装着でき、該上端部の周囲を覆う筒状又は該上端部に被せるキャップ状に形成した装着部材である。
【手続補正３】
【補正対象書類名】明細書
【補正対象項目名】００１０
【補正方法】変更
【補正の内容】
【００１０】
本考案の他の実施形態は、園芸用又は農業用のシート材を固定する下端部側を二股状に形成した固定部材と、固定部材の上端部に装着でき、該上端部の周囲を覆う筒状又は該上端部に被せるキャップ状に形成した装着部材とを備えたシート材固定具である。